(57)【要約】【課題】使用者により安心感を与えることができる吸収性物品の包装体を提供する。【解決手段】吸収性物品と、前記吸収性物品を包装する包装袋と、を有する吸収性物品の包装体であって、包装袋に、前記オーガニックコットン繊維の使用を使用者に認識させるマークが付されている。吸収性物品１は、不織布３，４を備える。不織布３，４は、オーガニックコットン繊維１０を含む。オーガニックコットン繊維１０は、不織布３，４内で複数の繊維塊１１を形成している。繊維塊１１は、外部から視認可能に構成されている。不織布３，４における繊維塊１１の部分の光線透過率は、不織布３，４における繊維塊１１が存在しない部分の光線透過率よりも低い。【選択図】図１
2018198980.tif 000002
【特許請求の範囲】
【請求項１】
吸収性物品と、前記吸収性物品を包装する包装袋と、を有する吸収性物品の包装体であって、
前記包装袋に、前記オーガニックコットン繊維の使用を使用者に認識させるマークが付されている、吸収性物品の包装体。
【請求項２】
前記吸収性物品に、前記オーガニックコットン繊維の使用を使用者に認識させるマークが付されている、請求項１に記載の吸収性物品の包装体。
【請求項３】
前記吸収性物品は、不織布を有し、
前記不織布は、オーガニックコットン繊維を含み、
前記オーガニックコットン繊維は、前記不織布内で複数の繊維塊を形成しており、
前記繊維塊は、外部から視認可能に構成されており、
前記不織布における前記繊維塊の部分の光線透過率は、前記不織布における前記繊維塊が存在しない部分の光線透過率よりも低い、請求項１又は請求項２に記載の吸収性物品の包装体。
【請求項４】
前記複数の繊維塊は、前記吸収性物品の厚み方向において、前記吸収性物品の表面側に偏って設けられている、請求項３に記載の吸収性物品の包装体。
【請求項５】
前記不織布に重複する着色シートを有し、
前記着色シートは、前記吸収性物品の厚み方向において、前記不織布よりも内側に設けられている、請求項３又は４に記載の吸収性物品の包装体。
【請求項６】
前記繊維塊の繊維密度が０．０７５〜０．２ｇ／ｃｍ３である、請求項１から５のいずれか１項に記載の吸収性物品の包装体。
【請求項７】
前記不織布は合成繊維をさらに含み、
前記繊維塊の周りに、前記繊維塊及び前記合成繊維の密度よりも小さい密度を有する領域が形成されている、請求項３から６のいずれか１項に記載の吸収性物品の包装体。
【請求項８】
前記不織布は合成繊維を含み、
前記オーガニックコットン繊維は、前記合成繊維の平均繊維長よりも短い平均繊維長を有する、請求項３−７のいずれか１項に記載の吸収性物品の包装体。
【請求項９】
前記オーガニックコットン繊維は、前記合成繊維に熱融着されていない、請求項７又は８に記載の吸収性物品の包装体。
【発明の詳細な説明】
【技術分野】
【０００１】
本発明は、オーガニックコットン繊維を含む不織布を備えた吸収性物品を包装した吸収性物品の包装体に関する。
【背景技術】
【０００２】
特許文献１は、疎水性合成繊維と親水性繊維とを含む不織布を備えた吸収性物品を開示している。親水性繊維は、天然セルロース繊維、例えばコットンやレーヨンである。親水性繊維の少なくとも一部は、集合体となってシート内に分散している。集合体を構成する親水性繊維の少なくとも一部は疎水性繊維の表面に融着されている。
【先行技術文献】
【特許文献】
【０００３】
【特許文献１】特開２００２−６５１号
【発明の概要】
【発明が解決しようとする課題】
【０００４】
近年、自然環境を保護するという意識の高まり、及び肌に優しい素材を使用したいという意識の高まりから、使用者は、無農薬栽培された自然由来の素材に対する関心を高めている。特に乳幼児に使用する使い捨ておむつのような吸収性物品に対して肌に優しい素材を使いたいというニーズが高まっている。しかしながら、使用者が自ら吸収性物品の素材を確認することは困難であり、製品に対する安心感を実感することができないことがある。
【０００５】
よって、使用者により安心感を与えることができる吸収性物品の包装体が望まれる。
【課題を解決するための手段】
【０００６】
一態様に係る吸収性物品の包装体は、吸収性物品と、前記吸収性物品を包装する包装袋と、を有する吸収性物品の包装体であって、前記包装袋に、前記オーガニックコットン繊維の使用を使用者に認識させるマークが付されている。
【０００７】
一態様に係る吸収性物品は、不織布を備え、前記不織布は、オーガニックコットン繊維を含み、前記オーガニックコットン繊維は、前記不織布内で複数の繊維塊を形成しており、前記繊維塊は、外部から視認可能に構成されており、前記不織布における前記繊維塊の部分の光線透過率は、前記不織布における前記繊維塊が存在しない部分の光線透過率よりも低い。
【０００８】
一態様に係る吸収性物品の包装体は、上記の吸収性物品と、前記吸収性物品を包装する包装袋と、を有する吸収性物品の包装体であって、前記包装袋に、前記オーガニックコットン繊維の使用を使用者に認識させるマークが付されている。
【図面の簡単な説明】
【０００９】
【図１】図１は、一実施形態に係る吸収性物品の平面図である。
【図２】図２は、図１とは反対側から見た吸収性物品の平面図である。
【図３】図３は、吸収性物品を構成する不織布の断面を示す模式図である。
【図４】図４は、一実施形態に係る吸収性物品の断面を示す模式図である。
【図５】図５は、一実施形態に係る吸収性物品の包装体を示す図である。
【発明を実施するための形態】
【００１０】
本明細書及び添付図面の記載により、少なくとも以下の事項が明らかとなる。
【００１１】
不織布を備えた吸収性物品であって、
前記不織布は、オーガニックコットン繊維を含み、
前記オーガニックコットン繊維は、前記不織布内で複数の繊維塊を形成しており、
前記繊維塊は、外部から視認可能に構成されており、
前記不織布における前記繊維塊の部分の光線透過率は、前記不織布における前記繊維塊が存在しない部分の光線透過率よりも低い、吸収性物品。
【００１２】
オーガニックコットン繊維からなる繊維塊の部分の光線透過率がそのまわりの部分の光線透過率よりも低いため、使用者は、外部から繊維塊を容易に視認することができる。これにより、使用者は、オーガニックコットン繊維が使用されていることを実感することができ、製品に対してより安心感を得ることができる。
【００１３】
好ましい一態様によれば、前記複数の繊維塊は、前記吸収性物品の厚み方向において、前記吸収性物品の表面側に偏って設けられている。繊維塊が吸収性物品の表面側に偏って設けられているため、使用者は、外部から繊維塊をより容易に視認することができる。
【００１４】
好ましい一態様によれば、吸収性物品は、前記不織布に重複する着色シートを有し、前記着色シートは、前記吸収性物品の厚み方向において、前記不織布よりも内側に設けられている。不織布よりも内側に着色シートが設けられているため、白色の繊維塊を外部からより目立たせることができる。これにより、使用者は、外部から繊維塊をより容易に視認することができる。
【００１５】
好ましい一態様によれば、前記繊維塊の繊維密度が０．０７５〜０．２ｇ／ｃｍ３である。繊維塊の繊維密度を高めることにより繊維塊をより目立たせることができる。これにより、使用者は、外部から繊維塊をより容易に視認することができる。
【００１６】
好ましい一態様によれば、前記不織布は合成繊維をさらに含み、前記繊維塊の周りに、前記繊維塊及び前記合成繊維の密度よりも小さい密度を有する領域が形成されている。繊維塊のまわりに密度の低い領域が存在するため、繊維塊をより目立たせることができる。これにより、使用者は、外部から繊維塊をより容易に視認することができる。
【００１７】
好ましい一態様によれば、前記不織布は合成繊維を含み、前記オーガニックコットン繊維は、前記合成繊維の平均繊維長よりも短い平均繊維長を有する。合成繊維１２の平均繊維長を長くすることで、不織布及び吸収性物品全体の強度を向上させることができ、製造中及び使用中における繊維のケバ立ちを抑制することができる。一方、オーガニックコットン繊維１０の平均繊維長を短くすることで、合成繊維１２同士の熱融着点を減少させ、不織布及び吸収性物品として適度な柔軟性を実現できる。
【００１８】
好ましい一態様によれば、前記オーガニックコットン繊維は、前記合成繊維に熱融着されていない。オーガニックコットン繊維からなる繊維塊が合成繊維に熱融着されていないので、繊維塊と合成繊維との間の境界がより目立つようになる。これにより、使用者は、外部から繊維塊をより容易に視認することができる。
【００１９】
好ましい一態様によれば、上記態様の吸収性物品と、前記吸収性物品を包装する包装袋と、を有する吸収性物品の包装体であって、前記包装袋に、前記オーガニックコットン繊維の使用を使用者に認識させるマークが付されている。
【００２０】
吸収性物品を包んだ状態のままでも、包装袋にオーガニックコットン繊維の使用を使用者に認識させるマークが付されているので、使用者にオーガニックコットン繊維を使用していることを明示的に知らせることができる。これにより、肌に優しいという安心感を使用者に与えることができる。
【００２１】
一態様によれば、前記吸収性物品に、前記オーガニックコットン繊維の使用を使用者に認識させるマークが付されている。
【００２２】
吸収性物品を包装袋から取り出した状態でも、吸収性物品にオーガニックコットン繊維の使用を使用者に認識させるマークが付されているので、使用者にオーガニックコットン繊維を使用していることを明示的に知らせることができる。これにより、肌に優しいという安心感を使用者に与えることができる。
【００２３】
以下、図面を参照して、一実施形態に係る吸収性物品の詳細について説明する。本発明の吸収性物品は、例えば使い捨ておむつや生理用ナプキンである。以下の実施形態では、使い捨ておむつを例に挙げて詳細に説明する。
【００２４】
なお、以下の図面の記載において、同一又は類似の部分には、同一又は類似の符号を付している。ただし、図面は模式的なものであり、各寸法の比率等は現実のものとは異なることがあることに留意すべきである。したがって、具体的な寸法等は、以下の説明を参酌して判断すべきである。また、図面相互間においても互いの寸法の関係や比率が異なる部分が含まれ得る。
【００２５】
図１は、一実施形態に係る吸収性物品１の平面図である。図２は、図１とは反対側から見た吸収性物品１の平面図である。吸収性物品１は、長手方向Ｌ及び幅方向Ｗを有する。長手方向Ｌは、着用者の前側（腹側）から後側（背側）に延びる方向、又は着用者の後側から前側に延びる方向である。幅方向Ｗは、長手方向Ｌと直交する方向である。以下、使用時に着用者の肌に面する側を、「肌面側」と呼ぶことがある。また、使用時に着用者の肌とは反対に向けられる側を、「非肌面側」と呼ぶことがある。
【００２６】
吸収性物品１は、表面シート３と、裏面シート４と、吸収体７と、を有する。吸収体７は、表面シート３と裏面シート４の間に設けられている。表面シート３は、液透過性のシートから構成されていてよい。
【００２７】
裏面シート４と吸収体７との間には、液不透過性の防漏シート５が設けられていてよい。防漏シート５は、少なくとも吸収体７を覆っている。裏面シート４は、防漏シート５を覆っており、防漏シート５よりも外側まで延びている。裏面シート４のうち、防漏シート５と重複していない領域は、幅方向Ｗにおける両外側で、長手方向Ｌの前側端部から後側端部まで延びている。
【００２８】
表面シート３及び裏面シート４は不織布から構成される。図３は、表面シート３又は裏面シート４の断面を示す模式図である。この不織布は、オーガニックコットン繊維１０と、合成繊維１２と、を含む。ここで、「オーガニックコットン」は、農業段階において、国際的な基準（CODEXに準じた各国の基準）に基づき有機性が認証され、それが証明されるコットンを意味する。
【００２９】
合成繊維１２は、熱可塑性樹脂からなる繊維であってよい。熱可塑性樹脂からなる繊維としては、例えば、オレフィン系樹脂、ポリエステル系樹脂及びポリアミド系樹脂並びにこれらの任意の組み合わせが挙げられる。熱可塑性樹脂からなる繊維は、親水化剤によって親水化されていてもよい。
【００３０】
合成繊維１２の繊度は、特に制限されないが、不織布の強度、柔軟性、肌触り、液透過性などの点から、１．１〜８．８ｄｔｅｘ、好ましくは１．５〜４．６ｄｔｅｘの範囲にあることが好ましい。
【００３１】
また、２．０ｄｔｅｘ以上の繊度を有する繊維に、２．０ｄｔｅｘ未満の繊度を有する繊維を好ましくは１０〜４０％、より好ましくは２０〜３０％含んだ合成繊維を用いてもよい。この場合、平均繊維長を長く保ちつつ、繊維長の短い合成繊維を含めることができる。合成繊維１２が細い番手の繊維を含むことで、コットン繊維の繊維塊が不織布から脱落することをより抑制することができる。
【００３２】
オーガニックコットン繊維１０は、不織布内で複数の繊維塊１１を形成している。オーガニックコットン繊維１０は、合成繊維１２よりも短い平均繊維長を有していてよい。これにより、オーガニックコットン繊維１０は、不織布内で繊維塊１１を形成し易くなる。
【００３３】
オーガニックコットン繊維１０からなる繊維塊１１は、外部から視認可能に構成されている。不織布における繊維塊１１の部分の光線透過率は、不織布における繊維塊１１が存在しない部分の光線透過率よりも低い。なお、本明細書において、光線透過率は、可視光線透過率のことを意味する。
【００３４】
オーガニックコットン繊維１０からなる繊維塊１１の部分の光線透過率がそのまわりの部分の光線透過率よりも低いため、使用者は、外部から繊維塊１１を容易に視認することができる。これにより、使用者は、オーガニックコットン繊維１０が使用されていることを実感することができ、製品に対してより安心感を得ることができる。
【００３５】
なお、不織布に光を当てて肉眼で確認することにより、オーガニックコットン繊維１０からなる繊維塊１１の部分がそのまわりの領域よりも白く見えることにより、繊維塊１１の部分の光線透過率とそのまわりの部分の光線透過率との違いを確認することができる。
【００３６】
図３に示すように、複数の繊維塊１１は、吸収性物品１の厚み方向において、吸収性物品１の表面側に偏って設けられていることが好ましい。ここで、厚み方向において吸収性物品１を表面側の両層と中央の層とに三等分し、複数の繊維塊１１のうちの６０％以上、好ましくは７０％以上の繊維塊が表面側（外部側）の層に存在する場合に、複数の繊維塊１１が吸収性物品１の表面側に偏って設けられているものとする。また、繊維塊が表面側（外部側）の層に存在するとは、繊維塊の一部分が表面側（外部側）の層に存在することを意味する。
【００３７】
複数の繊維塊１１が吸収性物品１の表面側に偏って設けられていることにより、使用者は、外部から繊維塊をより容易に視認することができる。なお、繊維塊１１が不織布から脱落することを防止する観点から、繊維塊１１は不織布の表面に露出していないことが好ましい。
【００３８】
厚み方向における繊維塊１１の偏りを確認するためには、Ｘ線ＣＴを用いることができる。具体的には、測定対象の繊維塊１１の部分を含む不織布について、不織布の一方の面から、他方の面が撮影されるようにＸ線ＣＴ（例えば、株式会社ビームセンス社製FLEX-M863）により撮影する。撮影によって得られた画像を用いて、同一不織布内の１０点の繊維塊１１について確認することで、繊維塊１１の偏りを判断できる。なお、撮影後のサンプル中の繊維塊１１は、後述するカヤステインＱによる染色方法を利用することによって、オーガニックコットン繊維の繊維塊１１であるかどうかを確認することができる。
【００３９】
不織布は、一般的には１０〜６０ｇ／ｃｍ２の範囲の坪量を有することが好ましい。不織布の厚みは好ましくは０．５〜５．０ｍｍ、より好ましくは０．８〜３．５ｍｍである。不織布の厚さは、測定圧３ｇ／ｃｍ２、直径１０ｍｍの測定端子を有する厚み計（株式会社  尾崎製作所社製  Peacockダイヤルシックネスゲージ）を用いて測定することができる。具体的には、対象の不織布の異なる１０点の厚みを測定し、その平均値から「厚さ」を得る。
【００４０】
上記厚みを有する不織布において、合成繊維に対するオーガニックコットン繊維の重量比率を２５％より小さくすることが好ましい。この条件で、厚み方向における不織布の中央に繊維塊１１を偏って設けることで、製造工程中及び製品使用中におけるオーガニックコットン繊維の脱落をより抑制することが可能となる。
【００４１】
合成繊維に対するオーガニックコットン繊維の重量比率は、以下の方法により算出することができる。まず、不織布から単位面積（例えば、５ｃｍ×５ｃｍ）の試験片を取り出す。この試験片からオーガニックコットン繊維を取り出し、取り出したオーガニックコットン繊維の重量を測定する。これにより、合成繊維に対するオーガニックコットン繊維の重量比率を算出することができる。
【００４２】
また、試験片からオーガニックコットン繊維を取り出す際に、合成繊維とオーガニックコットン繊維との違いを判別する必要がある。不織布中の繊維が、オーガニックコットン繊維からなるか合成繊維からなるかということは以下の方法により確認することができる。まず、試験片と同量のカヤステインＱ（日本化薬株式会社製）を秤量し、カヤステインＱの１００倍の重量のイオン交換水（６０〜７０度）で溶解する。この溶液を加熱し、溶液が沸騰する直前に、中性洗剤で洗浄した試験片を溶液内に投入する。その後、溶液を５分間煮沸した後、試験片を速やかに水洗・乾燥した。この時点で、繊維塊は、繊維の種別に応じた色に染色される。その後、カヤステインＱの各種繊維への色相を元に繊維塊の鑑別を行うことができる。
【００４３】
不織布に含まれるオーガニックコットン繊維１０は、合成繊維１２の平均繊維長よりも短い平均繊維長を有し、及び／又は合成繊維１２の繊度よりも細い繊度を有することが好ましい。合成繊維１２の平均繊維長を長くし、及び／又は合成繊維１２の繊度を太くすることで、不織布全体の強度を向上させることができ、製造中及び使用中における繊維のケバ立ちを抑制することができる。一方、オーガニックコットン繊維１０の平均繊維長を短くし、及び／又はオーガニックコットン繊維１０の繊度を細くすることで、合成繊維１２同士の熱融着点を減少させ、不織布として適度な柔軟性を実現できる。
【００４４】
「平均繊維長」は、ＪＩＳ  Ｌ  １０１５：２０１０の附属書Ａの「Ａ７．１  繊維長の測定」の「Ａ７．１．１  Ａ法（標準法）目盛りが付いたガラス板上で個々の繊維の長さを測定する方法」に従って測定される平均繊維長とする。なお、上記方法は、１９８１年に発行されたＩＳＯ  ６９８９に相当する試験方法にあたる。
【００４５】
図３では、表面シート３又は裏面シート４を構成する単層の不織布の断面が示されている。この代わりに、表面シート３又は裏面シート４は、複数の不織布が重ね合わせられた複層構造を有していてもよい。
【００４６】
図４は、吸収性物品の一部分（例えば図１のＦ３−Ｆ３線）の断面を示している。吸収性物品１は、表面シート３及び／又は裏面シート４を構成する不織布に重複する着色シート３００を有することが好ましい。着色シート３００は、吸収性物品１の厚み方向において、表面シート３及び／又は裏面シート４を構成する不織布よりも内側に設けられている。オーガニックコットン繊維１０を含む不織布よりも内側に着色シート３００が設けられているため、白色の繊維塊１１をより目立たせることができる。これにより、使用者は、外部から繊維塊１１をより容易に視認することができる。
【００４７】
オーガニックコットン繊維１０からなる繊維塊１１の繊維密度は０．０７５〜０．２ｇ／ｃｍ３であることが好ましい。繊維塊１１の繊維密度を高めることにより繊維塊１１をより目立たせることができる。これにより、使用者は、外部から繊維塊１１をより容易に視認することができる。
【００４８】
また、繊維塊１１を目立たせるという観点から、繊維塊１１の繊維密度は、合成繊維１２の繊維密度よりも０．０２ｇ／ｃｍ３以上大きいことが好ましい。
【００４９】
図３及び図４に示すように、繊維塊１１の周りに、繊維塊１１及び合成繊維１２の密度よりも小さい密度を有する領域１５が形成されていることが好ましい。繊維塊１１のまわりに密度の低い領域１５が存在するため、繊維塊１１をより目立たせることができる。これにより、使用者は、外部から繊維塊１１をより容易に視認することができる。
【００５０】
好ましくは、オーガニックコットン繊維１０は、合成繊維１２に熱融着されていない。オーガニックコットン繊維１０からなる繊維塊１１が合成繊維１２に熱融着されていないので、繊維塊１１と合成繊維１２との間の境界がより目立つようになる。これにより、使用者は、外部から繊維塊１１をより容易に視認することができる。
【００５１】
なお、不織布中の繊維塊１１が、オーガニックコットン繊維からなるか合成繊維からなるかということは、上記のカヤステインＱを用いた方法で行うことができる。
【００５２】
図５は、一実施形態に係る吸収性物品の包装体を示す図である。包装体は、不織布を備えた吸収性物品１と、吸収性物品１を包装する包装袋１００と、を有する。吸収性物品１の構成は、前述したとおりである。
【００５３】
包装袋１００は、複数の吸収性物品１を収容する。包装袋１００に、オーガニックコットン繊維１０の使用を使用者に認識させるマーク８２が付されている。さらに吸収性物品１にも、オーガニックコットン繊維１０の使用を使用者に認識させるマーク８４が付されていることが好ましい。吸収性物品１に付されたマーク８４は、包装袋１００に付されたマーク８２と同様の認識を使用者に与えるマークである。具体的には、吸収性物品１に付されたマーク８４は、包装袋１００に付されたマーク８２と同一又は類似のマークであってよい。なお、オーガニックコットン繊維１０の使用を使用者に認識させることができれば、吸収性物品１に付されたマーク８４は、包装袋１００に付されたマーク８２と異なっていてもよい。
【００５４】
マーク８２，８４は、オーガニックコットンを使用することを証明する外部機関によって認定されたマークであってもよい。この場合、オーガニックコットンを使用しているという信頼性を向上させることができ、より高い安心感を使用者に与えることができる。
【００５５】
図２及び図５では、吸収性物品１と包装袋１００の両方に全く同一のマーク８２，８４が付されている。この代わりに、吸収性物品１に付されたマーク８２は、包装袋８０に付されたマーク８４と全く同一ではなく、類似していればよい。この場合であっても、オーガニックコットン繊維の使用を使用者に認識させることができる。
【００５６】
これにより、吸収性物品１を包装袋１００で包んだ状態においては、包装袋１００に付されたマーク８２によって、使用者に、オーガニックコットン繊維の使用を認識させることができる。また、包装袋１００から吸収性物品１を取り出した状態においても、吸収性物品１に付されたマーク８４によって使用者にオーガニックコットン繊維を使用していることを明示的に知らせることができる。したがって、肌に優しいという安心感を使用者に与えることができる。
【００５７】
なお、複数の吸収性物品１は、包装袋１００内で、個別に包装されていてもよい。この場合、吸収性物品１を個別に包装する包装材に、オーガニックコットン繊維の使用を使用者に認識させるマークが付されていてもよい。
【００５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００５９】
１      吸収性物品
３      表面シート
４      裏面シート
７      吸収体
１０    オーガニックコットン繊維
１１    繊維塊
１２    合成繊維
８２    マーク
８４    マーク
１００  包装袋
３００  有色シート
【図１】
2018198980.tif 000003
【図２】
2018198980.tif 000004
【図３】
2018198980.tif 000005
【図４】
2018198980.tif 000006
【図５】
2018198980.tif 000007